(57)【要約】【課題】多大な費用や労力を払うことなく、使用者自身で、極めて容易に正しいスイングを習得できるゴルフスイング練習器具を実現する。【解決手段】ゴルフスイング練習器具１０１は、棒状部材１１と、この棒状部材１１の少なくとも一部を囲繞する環状部材５０と、を備える。棒状部材１１は、環状部材５０の中心部を通過するように固定されている。環状部材５０の径方向面をクラブフェイスとみなして、ゴルフスイング練習器具１０１を使用することにより、使用者はスイングの自己チェックを行いながら、極めて容易に正しいスイングを習得しうる。【選択図】図１Ａ
2016083243.tif 000002
【特許請求の範囲】
【請求項１】
棒状部材と、該棒状部材の少なくとも一部を囲繞する環状部材と、を備え、前記棒状部材は、前記環状部材の中心部を通過するように固定されていることを特徴とするゴルフスイング練習器具。
【請求項２】
前記棒状部材の一部が進退可能に形成されていることを特徴とする請求項１に記載のゴルフスイング練習器具。
【請求項３】
前記棒状部材は、シャフトの先端部にクラブヘッドを有し、後端部にグリップを有するゴルフクラブであって、
前記環状部材は、前記シャフトの後端側に、少なくともグリップ領域の一部を囲繞するように設けられ、該環状部材の径方向面がクラブフェイスのリーディングエッジから立ち上がるロフト角の基準面と平行となり、前記シャフトの後端側が該環状部材の中心部を経て貫通するように、前記シャフトに固定されていることを特徴とする請求項１または請求項２に記載のゴルフスイング練習器具。
【請求項４】
前記環状部材の内径は、少なくとも片手のグリップが可能な大きさであることを特徴とする請求項１から３のいずれか１項に記載のゴルフスイング練習器具。
【請求項５】
前記環状部材の断面外径は、両手のグリップ時に両手首から前腕の内側に前記環状部材の外周面が接触可能な太さを有することを特徴とする請求項１から４のいずれか１項に記載のゴルフスイング練習器具。
【請求項６】
前記環状部材の外周面が凹凸部を有することを特徴とする請求項１から５のいずれか１項に記載のゴルフスイング練習器具。
【請求項７】
前記環状部材の外周部に、フリンジ部材が設けられていることを特徴とする請求項１から６のいずれか１項に記載のゴルフスイング練習器具。
【請求項８】
前記棒状部材もしくは前記シャフト、または／および前記環状部材の内部に、流動体が密閉封入されていることを特徴とする請求項１から７のいずれか１項に記載のゴルフスイング練習器具。
【請求項９】
前記環状部材の内側には、該環状部材よりも小径の少なくとも一の内環状部材が設けられていることを特徴とする請求項１から８のいずれか１項に記載のゴルフスイング練習器具。
【請求項１０】
前記環状部材は、前記シャフトの後端側に着脱可能に設けられていることを特徴とする請求項３から９のいずれか１項に記載のゴルフスイング練習器具。
【発明の詳細な説明】
【技術分野】
【０００１】
本発明は、正確なゴルフスイングの習得に供するためのゴルフスイング練習器具に関する。
【背景技術】
【０００２】
ゴルフの上達を図るためには、正しいスイングを身に付けることが極めて重要である。一般にゴルフスイングは、レッスンプロなどの指導者から適切な指導を受け、その指導内容に従って練習を積み重ねることによって、身に付くと云われている。
【０００３】
アマチュアゴルファーは、ゴルフスクールなどに多大な費用を払い、長い年月を掛けて何万球も打ち込んで練習を積み重ねている。しかしながら、多大な費用や労力を払っているにも拘わらず、正しいスイングを容易に習得し得ないのが現実である。
【０００４】
アマチュアゴルファーのみならず、たとえ、第一線で活躍するプロゴルファーであっても、スイングを自己修正することは難しい。そこで、第一線級のプロゴルファーは、練習中にレッスンプロを帯同させてスイングチェックを受けている。
【０００５】
また、様々なゴルフ理論に基づき、スイングを練習するための器具が種々提案されている。例えば、特許文献１には、先端側にクラブヘッドを固定し後端側にグリップを装着する第１のシャフト部と、第１のシャフト部の垂直上方向に並行に形成される第２のシャフト部と、第１のシャフト部と第２のシャフト部とを連結する第３のシャフト部とで一体に形成されたシャフトを備えたスイングチェック簡易機能付きゴルフ練習用クラブが開示されている。
【先行技術文献】
【特許文献】
【０００６】
【特許文献１】特開２０１０−２０７５５７号公報
【発明の概要】
【発明が解決しようとする課題】
【０００７】
ところで、特許文献１のゴルフ練習用クラブによれば、第１のシャフト部と第２のシャフト部とで形成される垂直面を垂直方向にして第１のシャフト部のグリップをグリップしてアドレスし、素振りまたはスロースイングで、バックスイングでの腰の位置、トップの位置、インパクトの位置、フォローの位置、フィニッシュの位置で垂直面をチェックし、正しいアドレスやスイングを習得することができるとしている。
【０００８】
しかし、特許文献１のゴルフ練習用クラブは、スイングの各位置におけるクラブの垂直面をチェックできるに過ぎず、スイングの重要な要素としての両腕の正しい上下運動動作の体得が困難である。
【０００９】
すなわち、右利きの場合について説明すると、バックスイングで上体を右に捻って胸板を右回動させながらトップ位置に至るまでに両腕の上昇運動を行い、トップ位置から反転した胸板の左回動に伴い両腕の下降運動を行う。両腕の上昇運動の際には、左手のグリップ（握り）を胸板から離れる向きに押すとともに、右手のグリップ（握り）を胸板に近づけるように引いて、グリップを中心としたクラブシャフトの縦方向の上向き回動を行う。次いで、両腕の下降運動の際には、左手の握りを引くとともに、右手の握りを押して、グリップの中間部を中心としたクラブシャフトの縦方向の下向き回動を行うことになる。
【００１０】
特許文献１のゴルフ練習用クラブは、第１のシャフト部と第２のシャフト部とが平行であるがゆえに、クラブシャフトの縦方向の回動動作を把握し難く、両腕の正しい上下運動の動きを身に付けることが困難である。両腕の正しい上下運動ができなければ、正しいトップ位置、インパクト位置は形成されない。
【００１１】
本発明は、上記の事情に鑑みて創案されたものであり、多大な費用や労力を払うことなく、使用者自身で、極めて容易に正しいスイングを身に付けることができるゴルフスイング練習器具の提供を目的とする。
【課題を解決するための手段】
【００１２】
上記目的を達成するために、本発明に係るゴルフスイング練習器具は、棒状部材と、該棒状部材の少なくとも一部を囲繞する環状部材と、を備える。上記棒状部材は、上記環状部材の中心部を通過するように固定されている。
【発明の効果】
【００１３】
本発明に係るゴルフスイング練習器具によれば、多大な費用や労力を払うことなく、使用者自身で、極めて容易に正しいスイングを身に付けることができるという優れた効果を発揮する。
【図面の簡単な説明】
【００１４】
【図１Ａ】本発明に係るゴルフスイング練習器具の基本態様の平面図である。
【図１Ｂ】本発明に係るゴルフスイング練習器具の基本態様の変形例の平面図である。
【図２】第１実施形態に係るゴルフスイング練習器具の平面図である。
【図３】第１実施形態に係るゴルフスイング練習器具の側面図である。
【図４】第１実施形態に係るゴルフスイング練習器具において、環状部材の断面外径の説明に供する図である。
【図５】第１実施形態において、アドレス位置におけるゴルフスイング練習器具の状態の模式図である。
【図６】第１実施形態において、ゴルフスイング練習器具の縦方向の上向き回動動作の説明に供する模式図である。
【図７】第１実施形態において、トップ位置におけるゴルフスイング練習器具の状態の模式図である。
【図８】第１実施形態において、ゴルフスイング練習器具の縦方向の下向き回動動作の説明に供する模式図である。
【図９】第１実施形態において、インパクト位置におけるゴルフスイング練習器具の状態の模式図である。
【図１０】第１実施形態において、インパクト後の振り抜き動作におけるゴルフスイング練習器具の状態の模式図である。
【図１１】第１実施形態において、フィニッシュ直前位置におけるゴルフスイング練習器具の状態の模式図である。
【図１２】第２実施形態に係るゴルフスイング練習器具の一例の平面図である。
【図１３】第２実施形態に係るゴルフスイング練習器具の他例の平面図である。
【図１４Ａ】第３実施形態に係るゴルフスイング練習器具の要部平面図である。
【図１４Ｂ】第３実施形態に係るゴルフスイング練習器具の要部側面図である。
【図１５】第４実施形態に係るゴルフスイング練習器具の要部平面図である。
【図１６】第５実施形態に係るゴルフスイング練習器具における環状部材の一部を破断した要部平面図である。
【図１７】第５実施形態に係るゴルフスイング練習器具におけるシャフトの一部を破断した要部平面図である。
【図１８】第６実施形態に係るゴルフスイング練習器具の要部平面図である。
【図１９】第７実施形態におけるねじ止め構造の環状部材の平面図である。
【図２０Ａ】第７実施形態における一方の半割環状部材の内面側の平面図である。
【図２０Ｂ】第７実施形態における他方の半割環状部材の内面側の平面図である。
【図２１】第７実施形態における半割構造の環状部材の装着状況の説明に供する側面図である。
【図２２】第７実施形態におけるソケット構造の環状部材の平面図である。
【図２３】第７実施形態におけるソケット構造の環状部材の変形例の平面図である。
【発明を実施するための形態】
【００１５】
以下、図面を参照して、第１から第７実施形態に係るゴルフスイング練習器具について説明する。ただし、図面において、同一又は類似の部材や部分には同一又は類似の符号を付して表している。図面は模式的に図示しており、実際の寸法や比率等とは必ずしも一致しない。また、図面相互間において、互いの寸法の関係や比率が異なる部分が含まれることがある。
〔第１実施形態〕
［ゴルフスイング練習器具の構成］
【００１６】
まず、図１Ａから図４を参照して、第１実施形態に係るゴルフスイング練習器具の構成について説明する。図１Ａは本発明に係るゴルフスイング練習器具の基本態様の平面図である。図１Ｂは本発明に係るゴルフスイング練習器具の基本態様の変形例の平面図である。図２は第１実施形態に係るゴルフスイング練習器具の平面図である。図３は第１実施形態に係るゴルフスイング練習器具の側面図である。図４は第１実施形態に係るゴルフスイング練習器具において、環状部材の断面外径の説明に供する図である。
【００１７】
図１Ａに示すように、基本態様のゴルフスイング練習器具１０１は、棒状部材１１と環状部材５０とを備える。環状部材５０は棒状部材１１の少なくとも一部を囲繞している。棒状部材１１は、環状部材５０の略中心部を通過するように固定されている。すなわち、棒状部材１１は、一端部もしくは両端部が環状部材５０から貫通して突き出していることが好ましいが、必ずしも環状部材５０から突き出ていることを要しない。あるいは、図１Ｂに示すように、棒状部材１１の一部は、たとえば、伸縮式の釣り竿やアンテナのように、進退可能に形成されていても構わない。棒状部材１１の突き出し部分１１Ａの後退時には、環状部材５０の枠内に棒状部材１１が収まった状態となる。
【００１８】
図２および図３に示すように、第１実施形態の棒状部材１は、ゴルフクラブ１０によって構成されている。ゴルフクラブ１０は、シャフト２０の先端部にクラブヘッド３０を有し、後端部にグリップ４０を有する。ゴルフクラブ１０は、アイアンクラブであるか、もしくはウッドクラブであるかを問わない。
【００１９】
当該ゴルフクラブ１０は、本実施形態に係るゴルフスイング練習器具１００の一部を構成する練習用クラブである。したがって、シャフト２０の長さは、ラウンドプレイ用のクラブよりも短く設定してもよい。しかし、シャフト２０の長さを短くし過ぎると、スイング時に使用者の身体の一部にクラブヘッド３０が接触する虞があるので、当該クラブヘッド３０をゴム等の緩衝部材で形成することが好ましい。あるいは、金属製等の剛性のあるクラブヘッド３０の周囲が緩衝部材で覆われていても構わない。
【００２０】
環状部材５０の外観形状としては、例えば、円形、六角形や八角形等の多角形などの視覚的に当該環状部材５０の中心部を把握しやすい形状が挙げられるが、特に円形（円環状）であることが好ましい。また、環状部材５０の構成部材としては、例えば、合成樹脂やゴム、金属等が挙げられるが、例示の材料に限定されない。さらに、環状部材５０は、中空体であるか、もしくは中実体であるかを問わないが、軽量化を図るためには中空体であることが好ましい。
【００２１】
環状部材５０は、シャフト２０の後端側（グリップ４０を含む、以下同じ）に、少なくとも、グリップ領域４１の一部を囲繞するように固定される。環状部材５０の内径Ｒは、少なくとも片手のグリップ（握り）が可能な大きさに設定される。例えば、第１実施形態の環状部材５０の内径Ｒは、両手のグリップ（握り）が可能なように設定されているが、後述の第２実施形態のように、片手のみのグリップ（握り）が可能なように設定してもよい（図１２および図１３参照）。
【００２２】
また、環状部材５０は、図３に示すように、当該環状部材５０の径方向面がクラブフェイス３１のリーディングエッジ３２から立ち上がるロフト角の基準面Ｌと平行になるように、シャフト２０に固定される。換言すれば、クラブフェイス３１が臨む水平方向（振り抜き方向）Ｈに対して当該環状部材５０の径方向面が垂直（いわゆるクラブフェイスにスクエア）となるように、シャフト２０に固定される。ここで、「リーディングエッジ」とは、クラブフェイス３１の最下部の地面と接する辺の部分をいう。また、「ロフト角の基準面」とは、クラブフェイス３１のロフト角の基準線（０度）が存する面をいう。なお、例えば、サンドウェッジのように、ゴルフクラブ１０の種類によっては、クラブフェイス３１のリーディングエッジ３２が弧状にラウンド形成されている場合もあるが、この場合には、弧状線の弦に相当する直線から立ち上がるロフト角の基準面Ｌと当該環状部材５０の径方向面が平行となるように、シャフト２０に固定される。
【００２３】
さらに、環状部材５０は、シャフト２０の後端側（グリップ４０を含む）が当該環状部材５０の中心部を経て貫通するように、シャフト２０に固定される。環状部材５０はシャフト２０の後端側に固定されていればよく、当該環状部材５０からグリップ４０の後端部が外部に突き出ているか否かは問わない。
【００２４】
図４に示すように、環状部材５０の断面外径Ｄは、両手のグリップ（握り）時に両手首から前腕の内側に当該環状部材５０の外周面が接触可能な太さを有することが好ましい。環状部材５０の外周面と両手首から前腕の内側とが接触することにより、グリップ４０の中間部を中心としたゴルフクラブ１０の縦方向回動における手元のコック・アンコック動作を触覚的に把握し易くなるからである。その反面、環状部材５０の断面外径を太く設定し過ぎると、両手のグリップ（握り）が困難になるので、適度な太さに設定することを要する。使用者の体型等により変化しうるが、具体的には、環状部材５０の断面外径Ｄは、約２．０〜５．０ｃｍ程度の太さに設定される。当該数値範囲はあくまでも目安であり、限定されない。
［ゴルフスイング練習器具の作用］
【００２５】
次に、図１Ａから図１１を参照して、第１実施形態に係るゴルフスイング練習器具１００の作用について説明する。
【００２６】
図１Ａおよび図１Ｂに示すように、基本態様のゴルフスイング練習器具１０１は、環状部材５０と棒状部材１とが一体となった練習器具である。図２および図３に示すように、第１実施形態に係るゴルフスイング練習器具１００では、棒状部材１１として、ゴルフクラブ１０を採用している。ゴルフクラブ１０のシャフト２０の後端側には、少なくともグリップ領域４１の一部を囲繞するように、環状部材５０が固定されている。
【００２７】
環状部材５０は、図３に示すように、当該環状部材５０の径方向面がクラブフェイス３１のリーディングエッジ３２から立ち上がるロフト角の基準面Ｌと平行になるように、シャフト２０に固定される。したがって、シャフト４０の後端側に存する環状部材５０の径方向面をチェックすれば、クラブフェイス３１がどの方向を向いているかを容易に把握することができる（図５から図１１参照）。すなわち、スイング中に見失いがちになりやすいクラブフェイス３１の向きを、どのポジションにおいても常に明確に意識でき、把握することが可能となる。
【００２８】
また、本実施形態の環状部材５０は、円環状を呈している。環状部材５０が円環状を呈しているので、当該環状部材５０の中心部の位置を視覚的に把握することができる。当該環状部材５０の内径は、両手のグリップ（握り）が可能なように設定されている。したがって、左手のグリップ（握り）と右手のグリップ（握り）との間が後述する縦方向の回動動作の中心となる。
【００２９】
本発明者が提唱するスイング理論によれば、ゴルフスイングは、上体の捻りによる胸板の左右回動運動の要素と、身体（胸板）の正中矢状面内における両腕の上下運動の要素との合成によって構成されると考える。ここで、「正中矢状面」とは、身体の中心を上下方向に通り、身体（胸板）の左右中心線に対して垂直となる面をいう。以下、当該スイング理論に基づいて、本実施形態に係るゴルフスイング練習器具１００の使用方法について具体的に説明する。なお、本実施形態に係るゴルフスイング練習器具１００の使用方法は、右利き用クラブを用いる場合を例示して説明する。
【００３０】
図５はアドレス位置におけるゴルフスイング練習器具の状態の模式図である。図５に示すように、使用者は、まず、アドレス時において、環状部材５０の径方向面が身体の正中矢状面と一致するようにゴルフクラブ１０を構える。すなわち、環状部材５０の径方向面は、身体前面（胸板）に対して垂直の関係に位置する。さらに、環状部材５０の径方向面は、クラブフェイス３１のリーディングエッジ３２から立ち上がるロフト角の基準面Ｌと平行に位置するとともに、クラブフェイス３１の臨む水平方向（振り抜き方向）Ｈに対してスクエアに位置することになる（図２および図３参照）。
【００３１】
次に、使用者は、アドレス位置からバックスイングを開始する。バックスイングは、まず、上体を右に捻りながら胸板を右回動させる。胸板を右回動させながら、胸板の正中矢状面内において両腕の上昇運動を行う。両腕の上昇運動を行う際に、胸板の正中矢状面と環状部材５０の径方向面は一致していなければならない。胸板の正中矢状面と環状部材５０の径方向面が一致することにより、クラブフェイス３１も自ずと正しい方向に向くことになる。
【００３２】
図６はゴルフスイング練習器具の縦方向の上向き回動動作の説明に供する模式図である。両腕の上昇運動は、図６に示すように、左手の握りを押すとともに、右手の握りを引くような手元のコック動作を起点として、グリップ４０の中間部を中心としたシャフト１０の縦方向の上向き回動動作を行う。シャフト２０の縦方向の上向き回動動作の中心は、環状部材５０の中心部を目安として行う。すなわち、両腕の上昇運動において、使用者は、胸板の正中矢状面と環状部材５０の径方向面の一致をチェックしたうえで、環状部材５０の中心部を目安としてシャフト１０の縦方向の上向き回動動作を行うことにより、正しいトップ位置が形成される。
【００３３】
図７はトップ位置におけるゴルフスイング練習器具の状態の模式図である。図７に示すように、トップ位置においても、胸板の正中矢状面内に環状部材５０の径方向面が存在することになる。
【００３４】
次に、使用者は、スイングのトップ位置からゴルフクラブ１０を振り降ろす動作に移行する。その際、使用者は、捻った上体を左向きへと戻しながら胸板を左回動させる動作から開始し、当該胸板の回動運動に追従させて、胸板の正中矢状面内で両腕を振り降ろす動作を行う。
【００３５】
図８はゴルフスイング練習器具の縦方向の下向き回動動作の説明に供する模式図である。図８に示すように、胸板の正中矢状面内で両腕を振り降ろし、更に左手の握りを引くとともに、右手の握りを押して、グリップ４０の中間部を中心としたシャフト１０の縦方向の下向き回動動作を行うことになる。すなわち、胸板の左回動運動に伴って胸板の正中矢状面内で両腕を振り降ろすことにより、クラブヘッド３０に縦方向下向き回動による力が自然と発生する。
【００３６】
また、胸板の正中矢状面と環状部材５０の径方向面との一致を常に意識することにより、使用者は両脇を締めようと意識しなくとも、必然的に両脇を締める動作を行うことができる。両脇が締まると、軸の振れが防止され、胸板の左回動運動とも相俟って、インパクト時にクラブヘッド３０に大きな遠心力を発生させることができる。本実施形態に係るゴルフスイング練習器具１００によれば、遠心力を利用したクラブヘッド３０の使い方を簡単に習得することができる。また、遠心力が発生することで、高速で回転する独楽のようにさらに軸振れがなくなり、スイング軌道の安定化が期待できる。
【００３７】
図９はインパクト位置におけるゴルフスイング練習器具の状態の模式図である。図９に示すように、このインパクト時においても、身体の正中矢状面と環状部材５０の径方向面との一致を意識することにより、クラブフェイス３１の臨む水平方向（振り抜き方向）Ｈに対してクラブフェイス３１がスクエアに位置することになる。
【００３８】
図１０はインパクト後の振り抜き動作におけるゴルフスイング練習器具の状態の模式図である。図１０に示すように、使用者は、インパクトの後、そのままフォロースルーして振り抜けば、身体の正中矢状面と環状部材５０の径方向面とが一致しているので、正しいフィニッシュ位置を容易に形成することができる。
【００３９】
図１１はフィニッシュ直前位置におけるゴルフスイング練習器具の状態の模式図である。図１１に示すように、フィニッシュ直前位置は、ゴルフクラブ１０の振り抜きによって上体を起こすため、トップ位置とは必ずしも左右対称な姿勢にならない。しかしながら、図７および図１０に示すように、トップ位置とフォロー位置の双方において、胸板の正中矢状面と環状部材５０の径方向面とが一致している。
【００４０】
本実施形態に係るゴルフスイング練習器具１００において、身体（胸板）の正中矢状面内における両腕の上下運動は、スイングのガイドラインを形成する。すなわち、身体（胸板）の正中矢状面と環状部材５０の径方向面との一致を意識しながら両腕の上下運動を行うことにより、当該ガイドラインから逸脱しないようにスイングを規律することができる。換言するなら、本実施形態に係るゴルフスイング練習器具１００の構造は、スイングの方向づけの指標となる。また、両腕の上下運動の際に環状部材５０の中心を意識しながら縦方向回動動作を行うことにより、手元のコック・アンコック動作を自然に身に付けることができる。
【００４１】
以上説明したように、本実施形態に係るゴルフスイング練習器具１００によれば、身体（胸板）の正中矢状面と環状部材５０の径方向面との一致を常に意識しながら、正中矢状面内における両腕の正しい上下運動を行うことにより、スイングが正しいか否かを客観的に自己診断することができる。すなわち、自己のスイングをビデオ撮影して事後的に映像診断することを要さず、リアルタイムでスイング修正することができる。
【００４２】
環状部材５０の形状が特に円形（円環状）であるがゆえに、中心軸周りでクラブヘッド３０を回動させるという動作を誰もが意識しやすくなる。クラブヘッド３０を正しく回動させるという動作を繰り返し行うことで、遠心力を利用したスイングが身に付く。また、この環状部材５０を正しく上向き縦回動させると、ゴルフクラブ１０が横に寝ることなく、高いトップ位置が自然に形成される。これにより、高いトップ位置から自然落下させるという重力を利用したスイングが身に付く。よって、本実施形態に係るゴルフスイング練習器具１００を正しく回動させることにより、遠心力や重力という自然な力を最大限利用しうるように、ゴルフクラブ１０の使い方を矯正することができる。
【００４３】
ここで、胸板の回動によって生じる横方向の遠心力と、両腕の縦方向回動によって生じる縦方向の遠心力とは、中心軸が異なっている。したがって、遠心力の方向が異なるが、横方向の回動と縦方向の回動との順序やタイミング、向きを上手に調整することにより、双方の遠心力によって生じる慣性力（円運動の接線方向に生じる力）をゴルフボールの打ち出し方向に一致させることができる。
【００４４】
また、円形（円環状）の環状部材５０を正しく縦方向回動させる動きは、スイングにとって有益かつ単純な動きを誰もが把握しやすいように規制案内してくれる。これは、単にトップやフィニッシュ位置での静止の形を真似るだけのスイング指導とは全く異質のものである。重力による自然落下や遠心力は、一連のスイング動作の中でしか習得できないからである。一連の動きの中で遠心力の発動を感じながら、この単純な動作を反復練習することによって正しいスイングの再現性が高くなる。したがって、多大な費用や労力を払うことなく、使用者自身で、極めて容易に理想のゴルフスイングを身に付けることができる。
【００４５】
さらに、環状部材５０の断面外径を適度な太さに設定して、両手のグリップ（握り）時における両手首から前腕の内側に当該環状部材５０の外周面を接触させることにより、グリップ４０の中間部を中心としたゴルフクラブ１０の縦方向回動における手元のコック・アンコック動作が触覚的に把握し易くなる（図４参照）。
〔第２実施形態〕
【００４６】
次に、図１２および図１３を参照して、第２実施形態に係るゴルフスイング練習器具について説明する。図１２は第２実施形態に係るゴルフスイング練習器具の一例の平面図である。図１３は第２実施形態に係るゴルフスイング練習器具の他例の平面図である。なお、第１実施形態と同一の構成要素については同一の符号を付し、重複する内容については説明を省略する。
【００４７】
第２実施形態に係るゴルフスイング練習器具２００は、環状部材２５０の内径が片手のグリップ（握り）のみが可能な大きさに設定されている点が、第１の実施形態と異なる。具体的には、図１２に例示したゴルフスイング練習器具２００では、右利きのゴルフクラブ１０において、環状部材２５０が左手グリップ（握り）４２を囲繞するように装着されている。右手グリップ（握り）４３は、当該環状部材５０外の先端側に配置される。
【００４８】
図１２に例示したゴルフスイング練習器具２００では、両手の上下運動を行う場合、環状部材２５０の先端部を中心として縦方向回動動作を行う。スイング練習時においては、必ずしも右手を添えることを要さず、左手のみの練習を行うことができる。また、右手のみの練習についても同様である。
【００４９】
他方、図１３に例示したゴルフスイング練習器具２００では、右利きのゴルフクラブ１０において、環状部材２５０が右手グリップ（握り）４３を囲繞するように装着されている。左手グリップ（握り）４２は、当該環状部材５０外の後端側に配置される。
【００５０】
図１３に例示したゴルフスイング練習器具２００では、両手の上下運動を行う場合、環状部材２５０の後端部を中心として縦方向回動動作を行う。スイング練習時においては、必ずしも左手を添えることを要さず、右手のみの練習を行うことができる。また、左手のみの練習についても同様である。
【００５１】
なお、図１２および図１３における環状部材２５０の位置は例示であって、グリップ領域４１の一部を囲繞していればよく、図示する位置に限定されない。
【００５２】
第２実施形態に係るゴルフスイング練習器具２００は、基本的に第１実施形態に係るゴルフスイング練習器具１００と同様の作用効果を奏する。特に、第２実施形態に係るゴルフスイング練習器具２００によれば、環状部材２５０の内径が片手のグリップ（握り）のみが可能な大きさに設定されているので、片手のみのスイング練習に適しているという有利な効果を奏する。
〔第３実施形態〕
【００５３】
次に、図１４Ａおよび図１４Ｂを参照して、第３実施形態に係るゴルフスイング練習器具について説明する。図１４Ａは第３実施形態に係るゴルフスイング練習器具の要部平面図である。図１４Ｂは第３実施形態に係るゴルフスイング練習器具の要部側面図である。なお、第１実施形態と同一の構成要素については同一の符号を付し、重複する内容については説明を省略する。
【００５４】
図１４Ａおよび図１４Ｂに示すように、第３実施形態に係るゴルフスイング練習器具３００は、環状部材３５０の外周面が凹凸部３５１を有する点が、第１実施形態と異なる。環状部材３５０の凹凸部３５１の凸部３５２の断面外径Ｗは、両手のグリップ（握り）時に両手首から前腕の内側に当該環状部材３５０の外周面の凸部３５２が接触可能な太さを有することが好ましい。環状部材３５０の外周面が凹凸部３５１を有するので、両腕の上下運動時において、環状部材３５０の外周面の凸部３５２と両手首から前腕の内側とが断続的に接触することになる。環状部材３５０の外周面の凸部３５２と両手首から前腕の内側とが断続的に接触するので、使用者はグリップ４０の中間部を中心としたゴルフクラブ１０の縦方向回動動作を意識しやすくなる。
【００５５】
第３実施形態に係るゴルフスイング練習器具３００は、基本的に第１実施形態に係るゴルフスイング練習器具１００と同様の作用効果を奏する。特に、第３実施形態に係るゴルフスイング練習器具３００によれば、環状部材３５０の外周面が凹凸部３５１を有する。したがって、当該環状部材３５０の凸部３５２が両手首から前腕の内側と断続的に接触することにより、ゴルフクラブ１０の縦方向回動動作が意識しやすくなるという有利な効果を発揮する。
〔第４実施形態〕
【００５６】
次に、図１５を参照して、第４実施形態に係るゴルフスイング練習器具について説明する。図１５は第４実施形態に係るゴルフスイング練習器具の要部平面図である。なお、第１実施形態と同一の構成要素については同一の符号を付し、重複する内容については説明を省略する。
【００５７】
図１５に示すように、第４実施形態に係るゴルフスイング練習器具４００は、環状部材４５０の外周部に、フリンジ部材４５１が設けられている点が、第１実施形態と異なる。フリンジ部材４５１は、例えば、環状部材４５０の外周部の最外側に等間隔で複数設けられることが好ましい。上体を捻ることによる胸板の回動運動と両腕の上下運動とにより環状部材４５０に遠心力が付与されると、複数のフリンジ部材４５１が当該環状部材４５０の移動方向と反対の接線方向へ向けて拡がることになる。複数のフリンジ部材４５１が当該環状部材４５０の接線方向へ向けて拡がることにより、使用者は両腕の上下運動時における縦方向回動動作を触覚的および視覚的に把握することができる。また、フリンジ部材４５１が環状部材４５０に接触する音を聞くことにより、使用者は両腕の上下運動時における縦方向回動動作を聴覚的に把握することができる。
【００５８】
フリンジ部材４５１の振れ具合を観ながら、胸板の横方向回動によって生じる力の方向と両腕の縦方向回動によって生じる力の方向とが、インパクトゾーンにおいてともに水平方向（振り抜き方向）に一致するように、本実施形態に係るゴルフスイング練習器具４００を使用することで、正しいゴルフスイングが身に付きやすい。
【００５９】
フリンジ部材４５１の構成材料としては、例えば、天然繊維や合成繊維を編んだ紐部材や、金属製や合成樹脂製の鎖部材等の揺動可能な部材が挙げられるが、例示の材料に限定されない。
【００６０】
第４実施形態に係るゴルフスイング練習器具４００は、基本的に第１実施形態に係るゴルフスイング練習器具１００と同様の作用効果を奏する。特に、第４実施形態に係るゴルフスイング練習器具４００は、環状部材４５０の外周部にフリンジ部材４５１が設けられている。したがって、第４実施形態に係るゴルフスイング練習器具４００によれば、上体を捻ることによる胸板の回動運動と両腕の上下運動とにより環状部材４５０に遠心力が付与され、当該遠心力によってフリンジ部材４５１が接線方向へ向けて拡がるので、ゴルフクラブ１０の縦方向回動動作が五感を通して把握しやすくなるという有利な効果を発揮する。また、第４実施形態に係るゴルフスイング練習器具４００によれば、フリンジ部材４５１の振れ具合の観察により、胸板の横方向回動によって生じる力と両腕の縦方向回動によって生じる力の方向とを一致させやすく、正しいゴルフスイングが身に付きやすいという有利な効果を発揮する。
〔第５実施形態〕
【００６１】
次に、図１６を参照して、第５実施形態に係るゴルフスイング練習器具について説明する。図１６は第５実施形態に係るゴルフスイング練習器具における環状部材の一部を破断した要部平面図である。図１７は第５実施形態に係るゴルフスイング練習器具におけるシャフトの一部を破断した要部平面図である。なお、図１６および図１７において、部材厚みのハッチングは省略して図示する。また、第１実施形態と同一の構成要素については同一の符号を付し、重複する内容については説明を省略する。
【００６２】
図１６および図１７に示すように、第５実施形態に係るゴルフスイング練習器具５００は、環状部材５５０またはシャフト２０（基本態様の場合は棒状部材１１（図１Ａおよび図１Ｂ参照；本実施形態において、以下同じ））の内部に、流動体５６０が密閉封入されている点が、第１実施形態と異なる。すなわち、環状部材５５０の内部には、シャフト２０の後端部が貫通する部分を除いて、密閉空間５５１が形成されている（図１６参照）。また、シャフト２０の先端側にはクラブヘッドが存在し、後端側にはグリップ４０が存在するので、当該シャフト２０の内部は密閉空間５２１となっている（図１７参照）。当該シャフト２０内の密閉空間５２１は、クラブヘッド側へ向けて順次もしくは段階的に縮径された略中空円柱状の空間となっている。基本態様の棒状部材１１の場合には、当該棒状部材１１の両端部が閉塞され、同様に密閉空間が形成される（図示せず）。当該密閉空間５５１，５２１には、流動体５６０が密閉封入されている。
【００６３】
流動体５６０としては、例えば、水や潤滑油等の流体や合成樹脂粒状体等の集合物などが挙げられるが、例示の材料に限定されない。流動体５６０は、水と油や、水と粒状体のように、二種以上の流動体を組み合わせても構わない。流動体５６０は、密閉空間５５１，５２１で流動しうるように、密閉空間５５１，５２１に空気層５６１が残存するように充填される。
【００６４】
環状部材５０の内部に流動体５６０を封入した場合、上体を捻ることによる胸板の回動運動と両腕の上下運動とにより環状部材４５０に遠心力が付与されると、環状部材５５０の密閉空間５５１で流動体５６０が当該環状部材４５０の周方向に沿って流動することになる。環状部材４５０内で流動体５６０が周方向に沿って流動することにより、使用者は両腕の上下運動時における縦方向回動動作を触覚的および聴覚的に把握することができる。
【００６５】
他方、シャフト２０の内部に流動体５６０を密閉封入した場合には、トップ位置に至る上向きの縦方向回動動作において、シャフト２０の密閉空間５２１で流動体５６０が後端のグリップ側に流動することになる。さらに、トップ位置からゴルフクラブを振り降ろす際の下向きの縦方向回動動作において、シャフト２０の密閉空間５２１で流動体５６０が先端のクラブヘッド側に流動することになる。このシャフト２０内での流動体５６０の流動により、使用者は両腕の上下運動時における縦方向回動動作を触覚的および聴覚的に把握することができる。基本態様の棒状部材１１の場合においても、同様である。
【００６６】
また、本実施形態において、環状部材５０やシャフト２０の構成部材として、透明樹脂等の透明部材を採用してもよい。透明部材は、無色透明であるか、有色透明であるか、または半透明であるかを問わない。環状部材５０やシャフト２０を透明部材で形成した場合には、環状部材５０やシャフト２０内における流動体５６０の流動状態を視覚的に把握することができる。透明樹脂としては、例えば、ＰＥＴ（ｐｏｌｙｅｔｈｙｌｅｎｅ  ｔｅｒｅｐｈｔｈａｌａｔｅ）、ＰＭＭＡ（Ｐｏｌｙ  Ｍｅｔｈｙｌ  Ｍｅｔｈａｃｒｙｌａｔｅ）、ＰＩ（ｐｏｌｙｉｍｉｄｅ）、ＰＳ（ｐｏｌｙｓｔｙｒｅｎｅ）、またはＡＳ（Ａｃｒｙｌｏｎｉｔｒｉｌｅ  Ｓｔｙｒｅｎｅ）などが挙げられるが、これらの材料に限定されない。
【００６７】
流動体５６０の動きを触覚的、聴覚的、および視覚的（環状部材５０やシャフト２０が透明部材の場合；本実施形態において、以下同じ）に感じながら、胸板の横方向回動によって生じる力と両腕の縦方向回動によって生じる力との双方の力の方向が一致するように本実施形態に係るゴルフスイング練習器具４００を使用することで、正しいゴルフスイングが身に付きやすい。
【００６８】
なお、環状部材５０とシャフト２０との双方の密閉空間５５１，５２１に流動体５６０を封入してもよいが、環状部材５０内とシャフト２０内とでは密閉空間５５１，５２１の形状が異なるため、当該密閉空間５５１，５２１における流動体５６０の挙動が異なる。よって、双方の構成を混在させない方が、両腕の上下運動時における縦方向回動動作を触覚的および聴覚的に把握しやすい。しかしながら、環状部材５０とシャフト２０との双方の密閉空間５５１，５２１に流動体５６０を封入する構成を排除するものではない。
【００６９】
第５実施形態に係るゴルフスイング練習器具４００は、基本的に第１実施形態に係るゴルフスイング練習器具１００と同様の作用効果を奏する。特に、第５実施形態に係るゴルフスイング練習器具５００は、環状部材５５０の密閉空間５５１内に流動体５６０が密閉封入されている。したがって、第４実施形態に係るゴルフスイング練習器具５００によれば、上体を捻ることによる胸板の回動運動と両腕の上下運動とにより環状部材５５０に遠心力が付与され、当該遠心力によって密閉空間５５１内を流動体５６０が周方向に沿って流動するので、ゴルフクラブ１０の縦方向回動動作が触覚的、聴覚的、および視覚的に把握しやすくなるという有利な効果を発揮する。
【００７０】
また、シャフト２０（もしくは棒状部材１１）の密閉空間５２１に流動体５６０を封入した場合においても、当該密閉空間５２１における流動体５６０の挙動は異なるが、ゴルフクラブ１０の縦方向回動動作が触覚的、聴覚的、および視覚的に把握しやすくなるという有利な効果を発揮する。さらに、第５実施形態に係るゴルフスイング練習器具５００によれば、流動体５６０の動きを触覚的、聴覚的、および視覚的に感じることにより、胸板の横方向回動よって生じる力の方向と両腕の縦方向回動によって生じる力の方向とを一致させやすく、正しいゴルフスイングが身に付きやすいという有利な効果を発揮する。
〔第６実施形態〕
【００７１】
次に、図１８を参照して、第６実施形態に係るゴルフスイング練習器具について説明する。図１８は第６実施形態に係るゴルフスイング練習器具の要部平面図である。なお、第１実施形態と同一の構成要素については同一の符号を付し、重複する内容については説明を省略する。
【００７２】
図１８に示すように、第６実施形態に係るゴルフスイング練習器具６００は、環状部材６５０の内側に内環状部材６５１が設けられている点が、第１実施形態と異なる。内環状部材６５１は、外側の環状部材６５０よりも小径に形成されている。本実施形態の内環状部材６５１は、外側の環状部材６５０と同心に設けられているが、これに限定されず、中心をずらして配置しても構わない。
【００７３】
内環状部材６５１は、外側の環状部材６５０の内側において、グリップ領域４１の一部を囲繞するように設けられている。また、内環状部材６５１は、シャフト２０の後端側が該内環状部材６５１の中心部を経て貫通するように、シャフト２０に固定されている。さらに、内環状部材６５１は、外側の環状部材６５０と同様に、当該内環状部材６５１の径方向面がクラブフェイス３１のリーディングエッジ３２から立ち上がるロフト角の基準面Ｌと平行となるように固定されている（図３参照）。外側の環状部材６５０の内側に内環状部材６５１が存するので、使用者は当該内環状部材６５１を握った変形練習を行うことができる。
【００７４】
本実施形態では、外側の環状部材６５０と内環状部材６５１との間に、接合部材６５２が設けられている。接合部材６５２は、略均等間隔で放射線状に複数配置されている。接合部材６５２は必須の部材ではないが、外側の環状部材６５０と内環状部材６５１との位置ずれを防止することができる。また、内環状部材６５１を握る他、当該接合部材６５２を握った変形練習も可能であるので、外側の環状部材６５０と内環状部材６５１との間に接合部材６５２を設けることが好ましい。
【００７５】
なお、本実施形態では、環状部材６５０内に一の内環状部材６５１が設けられ、二重の環状部材６５０，６５１となっているが、これに限定されず、三重以上の複数の内環状部材を同心円状に設けても構わない。
【００７６】
第６実施形態に係るゴルフスイング練習器具６００は、基本的に第１実施形態に係るゴルフスイング練習器具１００と同様の作用効果を奏する。特に、第６実施形態に係るゴルフスイング練習器具６００は、環状部材６５０内に内環状部材６５１が設けられている。したがって、第６実施形態に係るゴルフスイング練習器具６００によれば、内環状部材６５１や接合部材６５２を握った変形練習が可能であるという有利な効果を発揮する。
〔第７実施形態〕
【００７７】
次に、図１９から図２３を参照して、第７実施形態に係るゴルフスイング練習器具について説明する。図１９から図２３に示すように、第７実施形態に係るゴルフスイング練習器具７００は、スイングの練習時にゴルフクラブ１０に装着して使用する形式の練習器具である。すなわち、本実施形態に係るゴルフスイング練習器具７００は、ラウンドプレイ可能な通常のゴルフクラブ１０に着脱可能に装着される。したがって、本実施形態に係るゴルフスイング練習器具７００は、スイング練習時にゴルフクラブ１０に装着され、ラウンドプレイ時にゴルフクラブ１０から取り外される。
【００７８】
本実施形態に係るゴルフスイング練習器具７００の本体は、環状部材７５０からなる。環状部材７５０は、シャフト２０の後端側に、着脱可能に装着される。本実施形態では、ラウンドプレイ可能な通常のゴルフクラブ１０を使用するからである。環状部材７５０の着脱可能な装着構造としては、例えば、ねじ止め構造、半割構造、またはソケット構造等が挙げられるが、着脱可能であれば例示の装着構造に限定されない。
【００７９】
まず、図１９を参照して、ねじ止め構造の環状部材について説明する。図１９は第７実施形態におけるねじ止め構造の環状部材の平面図である。
【００８０】
図１９に示すように、ねじ止め構造の環状部材７５１には、シャフト２０の後端側が通過する対向位置に、一対の筒体部６１Ａ，６１Ｂが形成されている。これらの筒体部６１Ａ，６１Ｂの内径は、シャフト２０の後端側を挿通させるに十分な大きさを有している。各筒体部６１Ａ，６１Ｂには、当該筒体部６１Ａ，６１Ｂをその径方向に貫通するように不図示の雌ねじ部が形成され、各雌ねじ部には、例えば、蝶ボルト６２Ａ，６２Ｂが螺合される。すなわち、ねじ止め構造の環状部材５１は、筒体部６１Ａ，６１Ｂ内にシャフト２０の後端側を挿通させて、各雌ねじ部に蝶ボルト６２Ａ，６２Ｂをねじ込んで進出させることにより、シャフト２０の後端側を押圧・保持するようになっている。なお、蝶ボルト６２Ａ，６２Ｂではなく、例えば、六角ボルト等の他の形式の締結部材を採用してもよい。
【００８１】
また、図２０Ａから図２１を参照して、半割構造の環状部材について説明する。図２０Ａは第７実施形態における一方の半割環状部材の内面側の平面図である。図２０Ｂは第７実施形態における他方の半割環状部材の内面側の平面図である。図２１は第７実施形態における半割構造の環状部材の装着状況の説明に供する側面図である。
【００８２】
図２０Ａから図２１に示すように、半割構造の環状部材７５２は、シャフト２０の後端側を一対の半割環状部材７５２Ａ，７５２Ｂで挟んで一体化させる構造を有する。各半割環状部材７５２Ａ，７５２Ｂの合わせ面には、シャフト２０の後端側を挿通させるための半円筒状の凹部７１Ａ，７１Ｂが形成されている。当該環状部材７５２の着脱構造としては、例えば、一方の半割環状部材７５２Ａに係合凹部７２Ａが形成され、他方の半割環状部材７５２Ｂに係合爪７２Ｂが形成されている。図２１に示すように、半円筒状の凹部７１Ａ，７１Ｂ内にシャフト２０の後端側を挿通させた状態で、一方の半割環状部材７５２Ａの係合凹部７２Ａに、他方の半割環状部材７５２Ｂの係合爪７２Ｂを係合させることにより、これらの半割環状部材７５２Ａ，７５２Ｂは環状部材５２として一体化される。なお、半割環状部材７５２Ａと半割環状部材７５２Ｂとの係合手段は、係合凹部７２Ａと係合爪７２Ｂに限定されない。
【００８３】
さらに、図２２を参照して、ソケット構造の環状部材について説明する。図２２は第１実施形態におけるソケット構造の環状部材の平面図である。
【００８４】
図２２に示すように、ソケット構造の環状部材７５３は、一部に相対向した不連続部（切断部）５４を有する。当該環状部材７５３の着脱構造としては、例えば、不連続部５４の一方の端部に嵌合凸部５４Ｂが形成され、他方の端部に該嵌合凸部５４Ｂを挿入嵌合するための嵌合凹部５４Ａが形成されている。嵌合凸部５４Ｂ、および該嵌合凸部５４Ｂと径方向で相対向する部位には、シャフト２０の後端側を挿通させるための貫通孔８１Ａ，８１Ｂが形成されている。
【００８５】
嵌合凸部５４Ａには、その長手方向に沿って不図示のスリットが形成され、当該スリットを拡げることにより、シャフト２０の後端側が挿通しやすくなるように工夫されている。スリットの末端には、裂け防止のための円形の止め孔が形成されている。貫通孔８１Ａ，８１Ｂにシャフト２０の後端側を挿通させた状態で、不連続部５４の一方の端部の嵌合凹部５４Ｂに、他方の端部の嵌合凸部５４Ａを挿入嵌合させることにより、環状部材７５３は一体化される。
【００８６】
次に図２３を参照して、ソケット構造の環状部材の変形例について説明する。図２３は第１実施形態におけるソケット構造の環状部材の変形例の平面図である。
【００８７】
図２３に示すように、ソケット構造の環状部材７５３の変形例として、例えば、不連続部５４の一方の端部に嵌合凸部５４Ｂに雄ねじ部９１Ｂを形成するとともに、他方の端部の嵌合凹部５４Ａに回転可能なナット部９１Ａを形成し、当該雄ねじ部９１Ｂにナット部９１Ａを螺合するように構成しても構わない。
【００８８】
第７実施形態に係るゴルフスイング練習器具７００は、ゴルフクラブ１０に装着した場合において、基本的に第１実施形態に係るゴルフスイング練習器具１００と同様の作用効果を奏する。特に、第７実施形態に係るゴルフスイング練習器具７００の本体は環状部材７５０であり、シャフト２０の後端側に着脱可能に設けられる。したがって、第７実施形態に係るゴルフスイング練習器具７００によれば、ラウンドプレイ可能な通常のゴルフクラブ１０に装着して使用することができ、汎用性に富む。
【００８９】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【００９０】
上記の実施形態では、右利き用クラブを用いる場合を例示して説明したが、第１から第７実施形態のゴルフスイング練習器具１００〜７００は、左利き用クラブとして構成しても、同様の作用効果を奏することができるのは言うまでもない。
【００９１】
また、図１Ａに例示した基本態様のゴルフスイング練習器具１０１は、棒状部材１１と、該棒状部材１１の少なくとも一部を囲繞するように環状部材５０と、から構成される。当該基本態様のゴルフスイング練習器具１０１は、ゴルフクラブ１０と異なり、クラブヘッドを有しないためクラブフェイスの確認ができないが、当該環状部材５０の径方向面をクラブフェイスとみなして使用することで、第１実施形態に係るゴルフスイング練習器具１００と同様にスイング練習を行うことができる。
【００９２】
さらに、図１Ｂに示したように、棒状部材１１の一部を進退可能に形成した場合には、棒状部材１１の突き出し部分１１Ａを環状部材５０の枠内に収まるように後退させておき、両腕の下向き縦方向回動動作によって、当該突き出し部分１１Ａを進出させて突き出させることができる。これにより、両腕の下向き縦方向回動動作（いわゆるリリース）が、視覚的にかつ触覚的に把握しやすくなる。
【００９３】
そして、棒状部材１１の構成部材として、可撓性を有する部材を採用することが好ましい。棒状部材１１が可撓性を有すれば、スイングの際に棒状部材１１が釣り竿のように撓るので、スイングにおける横方向回動動作および縦方向回動動作が視覚的に把握しやすくなる。
【符号の説明】
【００９４】
１０    ゴルフクラブ、
１１    棒状部材、
２０    シャフト、
３０    クラブヘッド、
３１    クラブフェイス、
３２    リーディングエッジ
４０    グリップ、
５０、２５０、３５０、４５０、５５０、６５０、７５１、７５２、７５３    環状部材、
１０１、１００、２００、３００、４００、５００、６００、７００    ゴルフスイング練習器具、
３５１    凹凸部、
４５１    フリンジ部材、
５６０    流動体、
６５１    内環状部材、
Ｌ    ロフト角の基準面。
【図１Ａ】
2016083243.tif 000003
【図１Ｂ】
2016083243.tif 000004
【図２】
2016083243.tif 000005
【図３】
2016083243.tif 000006
【図４】
2016083243.tif 000007
【図５】
2016083243.tif 000008
【図６】
2016083243.tif 000009
【図７】
2016083243.tif 000010
【図８】
2016083243.tif 000011
【図９】
2016083243.tif 000012
【図１０】
2016083243.tif 000013
【図１１】
2016083243.tif 000014
【図１２】
2016083243.tif 000015
【図１３】
2016083243.tif 000016
【図１４Ａ】
2016083243.tif 000017
【図１４Ｂ】
2016083243.tif 000018
【図１５】
2016083243.tif 000019
【図１６】
2016083243.tif 000020
【図１７】
2016083243.tif 000021
【図１８】
2016083243.tif 000022
【図１９】
2016083243.tif 000023
【図２０Ａ】
2016083243.tif 000024
【図２０Ｂ】
2016083243.tif 000025
【図２１】
2016083243.tif 000026
【図２２】
2016083243.tif 000027
【図２３】
2016083243.tif 000028